(57)【要約】      （修正有）【課題】複数のトレイ及び単一のトレイカバーからなるスタックを保持するためのクリップの提供。【解決手段】クリップ４８は、トレイの幅に適した間隙を確保する幅を有し、指を入れるための切り欠き部分を有する。弾力性のある第１及び第２の対向側壁５６、５８と弾力性のある後壁６４とがベース５０から上方に延び、前部及び上部が開放された構造を形成している。細長く、下方に湾曲した第１及び第２の弾性部材６６、７２が含まれ、各弾性部材６６、７２は、前端部が対応する側壁５６、５８の上前部に連結され、後端部が後壁６４に連結されている。弾性部材６６、７２は、クリップ４８に差し込まれたトレイの第１及び第２の対向外周部９２、９４に圧力を加えるように配置されている。【選択図】図７
2005041574.tif 000002
【特許請求の範囲】
【請求項１】
集積回路を内部に保持するように適合されたポケットを各々含む複数のトレイからなり、対応付けられた第１及び第２の対向する外周部を有するスタック、を保持するためのクリップであって、
前記スタックを収容するための開放された前部及び開放された上部からアクセス可能なチャンバの輪郭を定め、前記開放された上部及び前部の間に支持構造が連結されていないハウジングを備え、
該ハウジングは、
前記スタックの底部を支持するように適合され、前縁部と、第１及び第２の対向する側縁部と、後縁部とを有するベースと、
前記チャンバの後部の内側に前記スタックを固定する後壁と、
前記第１及び第２の対向する側縁部にそれぞれ連結され、前記スタックを前記チャンバ内に横方向に固定するように適合された第１及び第２の側壁と、
前端部は前記第１及び第２の各側壁に連結され、後端部は前記後壁に連結されており、前記スタックが前記チャンバに一旦差し込まれたら前記スタックを前記チャンバ内にクランプするように、前記スタックが前記チャンバに差し込まれるときに弾力的に移動するように適合されている第１及び第２の弾性部材と、を含むことを特徴とするクリップ。
【請求項２】
前記後壁は下部後面と上部後面とを有し、
前記第１及び第２の各側壁は、前記開放された前部の前部高さを定める前縁部と、前記後壁の下部後面に連結され、前記前部高さより低い高さの後縁部とを有し、前記後壁は前記下部後面の上に延びる上部後面を有し、
前記第１及び第２の弾性部材及び延長部分は、前記前端部が前記第１及び第２の側壁の上部に各々連結されるとともに、前記後端部が前記後壁の前記上部後面の上部に連結され、当該部材は、前記チャンバ内に前記スタックをクランプするとき、開放された側壁領域の一部分に弾力的に移動するように適合されており、前記第１及び第２の弾性部材は前記第１及び第２の側壁から前記チャンバに各々内向きに延びていることを特徴とする請求項１に記載のクリップ。
【請求項３】
前記後壁の前記上部後面は弾力性があり、前記スタックが前記チャンバに差し込まれるとき又は前記チャンバから取り出されるときに、前記第１及び第２の弾性部材と連係して弾力的に移動するように適合されていることを特徴とする請求項２に記載のクリップ。
【請求項４】
前記第１及び第２の各側壁の上部前縁部は弾力性があり、前記スタックが前記チャンバに差し込まれるとき又は前記チャンバから取り出されるときに、外側に移動して前記チャンバの幅を一時的に広げるように適合されていることを特徴とする請求項３に記載のクリップ。
【請求項５】
前記第１及び第２の側壁の前部にそれぞれ取り付けられ、各々所定の長さだけ前記チャンバに突出し、前記スタックが前記チャンバに差し込まれた後に前記スタックを前記チャンバ内に保持する第１及び第２のタブをさらに備え、
前記第１及び第２の側壁の前記上部前縁部は、前記スタックの前記チャンバへの差込み又は前記チャンバからの取出しが完了するまで、前記第１及び第２のタブの位置において前記所定の長さに対応する分だけ前記チャンバの幅を一時的に広げるため、外側に移動可能となるように弾力性を有することを特徴とする請求項４に記載のクリップ。
【請求項６】
前記第１及び第２の各側壁の上部前縁部は弾力性があり、前記スタックが前記チャンバに差し込まれるとき又は前記チャンバから取り出されるときに、外側に移動して前記チャンバの幅を一時的に広げるように適合されていることを特徴とする請求項２に記載のクリップ。
【請求項７】
前記第１及び第２の側壁の前部にそれぞれ取り付けられ、各々所定の長さだけ前記チャンバに突出し、前記スタックが前記チャンバに差し込まれた後に前記スタックを前記チャンバ内に保持する第１及び第２のタブをさらに備え、
前記第１及び第２の側壁の前記上部前縁部は、前記スタックの前記チャンバへの差込み又は前記チャンバからの取出しが完了するまで、前記第１及び第２のタブの位置において前記所定の長さに対応する分だけ前記チャンバの幅を一時的に広げるため、外側に移動可能となるように弾力性を有することを特徴とする請求項６に記載のクリップ。
【請求項８】
前記後壁は下部後面と上部後面とを有し、前記後壁の前記上部後面は弾力性があり、前記スタックが前記チャンバに差し込まれるとき、前記第１及び第２の弾性部材と連係して弾力的に移動するように適合されていることを特徴とする請求項１に記載のクリップ。
【請求項９】
射出成形により製造されることを特徴とする請求項８に記載のクリップ。
【請求項１０】
前記第１及び第２の各側壁の上部前縁部は弾力性があり、前記スタックが前記チャンバに差し込まれるとき又は前記チャンバから取り出されるときに、外側に移動して前記チャンバの幅を一時的に広げるように適合されていることを特徴とする請求項８に記載のクリップ。
【請求項１１】
射出成形により製造されることを特徴とする請求項１０に記載のクリップ。
【請求項１２】
前記第１及び第２の側壁の前部にそれぞれ取り付けられ、各々所定の長さだけ前記チャンバに突出し、前記スタックが前記チャンバに差し込まれた後に前記スタックを前記チャンバ内に保持する第１及び第２のタブをさらに備え、
前記第１及び第２の側壁の前記上部前縁部は、前記スタックの前記チャンバへの差込み又は前記チャンバからの取出しが完了するまで、前記第１及び第２のタブの位置において前記所定の長さに対応する分だけ前記チャンバの幅を一時的に広げるため、外側に移動可能となるように弾力性を有することを特徴とする請求項１０に記載のクリップ。
【請求項１３】
射出成形により製造されることを特徴とする請求項１２に記載のクリップ。
【請求項１４】
前記第１及び第２の各側壁の上前部は弾力性があり、前記スタックが前記チャンバに差し込まれるとき又は前記チャンバから取り出されるときに、外側に移動して前記チャンバの幅を一時的に広げるように適合されていることを特徴とする請求項１に記載のクリップ。
【請求項１５】
射出成形により製造されることを特徴とする請求項１４に記載のクリップ。
【請求項１６】
前記第１及び第２の側壁の前部にそれぞれ取り付けられ、各々所定の長さだけ前記チャンバに突出し、前記スタックが前記チャンバに差し込まれた後に前記スタックを前記チャンバ内に保持する第１及び第２のタブをさらに備え、
前記第１及び第２の側壁の前記上部前縁部は、前記スタックの前記チャンバへの差込み又は前記チャンバからの取出しが完了するまで、前記第１及び第２のタブの位置において前記所定の長さに対応する分だけ前記チャンバの幅を一時的に広げるため、外側に移動可能となるように弾力性を有することを特徴とする請求項１４に記載のクリップ。
【請求項１７】
射出成形により製造されることを特徴とする請求項１６に記載のクリップ。
【請求項１８】
前記第１及び第２の弾性部材は、前記スタックをクランプするため、スタックの外周部分に限定して圧力を加えるように構成されていることを特徴とする請求項１に記載のクリップ。
【請求項１９】
前記第１及び第２の弾性部材は、前記スタックの外周部分と外周以外の部分との両方に圧力を加えるように構成されていることを特徴とする請求項１に記載のクリップ。
【発明の詳細な説明】
【技術分野】
【０００１】
本願は２００３年7月１４日付けで提出された米国特許出願第１０／６２０，２８２号「ベアチップトレイクリップ」に関連するものであり、該米国特許出願の内容は参照によりここに包含される。
【０００２】
本発明は、半導体等の部品の保管及び運搬に使用されるトレイを固定するための装置に関するものであり、特に、複数のトレイと単一のカバーからなるスタックを固定するためのオープンフレームクリップであって、スタックの高さ寸法の公差が大きくても対応できるようにトレイの外周部にスタック圧縮力を加えるとともに、トレイのラベルがよく見えるようにし、また、操作者がスタックを差し込み又は取り出し易いように改良された間隙を確保するクリップに関する。
【背景技術】
【０００３】
半導体等の小さな部品は、図１に示されるトレイ１０のような成形プラスチックトレイに入れて保管され、出荷されることが多い。該部品（図示せず）をポケット１２に収納した状態で、カバー１４等のカバーをトレイ１０の上に被せ、ポケット１２内に部品を保持する。その後、カバー１４をトレイ１０に固定させるために、何らかの装置を適用することがしばしば必要になる。例えば、図２は、単一のトレイとカバー又はトレイのスタックとカバーを合わせてクランプするために使用される２つの部品からなるクリップ装置１６を示している。脚部１８の高さはスタックの高さに対応するように設計される。図３は、カバー２２をトレイ２４に固定させるための２部品クリップ装置２０の使用を示している。図４は、別タイプのトレイクリップ２６を示している。
【０００４】
クリップは、トレイのスタックを固定させるために、該スタックに圧縮力を供給するものである。従来デザインでは、スタック底部の中心部分に力が加わり、その結果、トレイを永久的に変形させる原因となる。スタック上部には２８（図２）のようなプロングが用いられ、スタック底部の中心部分には反対方向の力がかかる。図２においては、各延長部３０を対応する組み合わせ部品の下に滑り込ませ、干渉を生じさせることにより、ベース３２が撓み、その結果、クリップをスタックに取り付けたとき、クリップはばね力を加えるようになる。
【発明の開示】
【発明が解決しようとする課題】
【０００５】
図４は、２つのリーフスプリング３４を有する別のクリップ装置２６を示し、該リーフスプリングはクリップ２６に差し込まれたスタックに力を加えるために設けられている。図２から図４の各デザインは、てこの力をトレイに加えるものであり、各トッププロングの接触点とスタック底部の中心部分上の対応する接触部分との間で作用する。ばね力によってトレイに加えられるてこの作用は、例えば寸法Ｄ１及びＤ２で概略的に示される距離に比例し、トレイに曲げ力を加える結果となる。この曲げ力は、薄くて弱い中心部分にかかるため、損傷の原因となる。トレイが長時間反った状態になると、スタック中の各トレイ間にギャップが生じる。場合によっては、トレイに収納された部品がギャップを通って落下したり、ギャップに挟まったりして、部品に損傷を与える恐れがある。また、クリップからトレイのスタックを取り外し、トレイを自動実装機にかけるとき、トレイが反って変形していると、ピックアップミスを生じる恐れがある。
【０００６】
図５は、トレイスタック３８を保持するための別の従来クリップ３６を示している。構造は剛性のボックスフレーム４０であり、スタックを指でスライドさせてクリップ３６の開口４７から取り出すことができるように、開口４２及び４４を上下に有している。上下に２つずつ、合計４つ設けられたリーフスプリング４６が、スタック３８の上部及び底部に圧力を加え、スタックを所定の位置に保持する。このデザインの欠点は、比較的壊れ易いトレイの中央部分にスプリング４６の圧力が加わる点、また、開口４２及び４４が狭く、トレイのラベルが見え難くなる点にある。さらに、スプリング４６は、最小又は最大の公差を有するトレイのスタックに適切に対応できるほど十分には動作し得ない。
【０００７】
本発明の利点は、トレイクリップの力による変形を最小限に抑える、改良されたトレイスタック固定用クリップを提供する点にある。
【０００８】
また、本発明の利点は、トレイの縁部に限定して保持力をかけ、その結果、スタックにかかるてこの力を最小限に抑え、トレイの変形を少なくする、トレイスタック固定用クリップを提供する点にある。
【課題を解決するための手段】
【０００９】
本発明の一実施形態においては、複数のトレイ及び単一のトレイカバーからなるスタックを保持するためのクリップが提供される。クリップは、トレイの幅に適した間隙を確保する幅を有し、指を入れるための切り欠き部分を有している。弾力性のある第１及び第２の対向側壁と弾力性を有することが好ましい後壁とがベースから上方に延び、前部及び上部が開放された構造を形成している。細長く、下方に湾曲した第１及び第２の弾性部材が含まれ、各弾性部材は、前端部が対応する側壁の上前部に連結され、後端部が後壁に連結されている。弾性部材は、クリップに差し込まれたトレイの第１及び第２の対向外周部に圧力を加えるように配置されている。
【発明を実施するための最良の形態】
【００１０】
本発明は、ここでは特定の実施形態について説明されるが、ある程度の裁量による修正、及び、種々の変更及び代用が意図されるものであり、ここに記載の最良の実施形態に関して説明される発明の趣旨及び範囲を逸脱することがなければ、本発明のいくつかの特徴を他の特徴と対応させずに使用する場合もある。
【００１１】
以下、図６を参照して、本発明によるオープンフレームクリップ４８を斜視図にて説明する。クリップ４８は、複数のトレイからなるスタック又は複数のトレイとトレイカバーからなるスタックをチャンバ４９内に収納するように構成されている。クリップ４８のハウジングはベース５０を有し、幅Ｗ，奥行きＤのトレイ収納領域を有している。ベース５０は、その前縁部５４から内方に切り欠き５２が形成され、操作者が指でトレイスタックの底部を掴めるようになっている。弾性材料からなる第１及び第２の側壁５６及び５８は、ベース５０の第１及び第２の対向縁部６２及び６０からベース５０に対して略直角に延びている。上部５１及び前部のトレイ差入口５３が開放されているのが特徴的であり、これにより、操作者がトレイスタックを抜き差しし易くなるとともに、スタックのラベルがよく見えるようになる。側壁５６及び５８は、少なくとも２つの縁部で支えがなく、上縁部５５及び５７、及び前縁部５９及び６１では、両側壁間に連結はない。弾性材料からなり、後に詳しく説明するような動きが可能な後壁６４は、後縁部６５に連結され、ベース５０から直角に延びている。クリップは、当業者には明らかであろう種々の材料のいずれかによって構成される。例えば、ポリカーボネイト、ポリプロピレン、又はこれらのいずれかに静電防止特性を付加する炭素が充填されたものから構成される。クリップの製造方法にも、モールディング等、複数の方法があり、当業者には明らかであろう。当業者には明らかな、これら構成材料や方法等は、本発明の趣旨に包含される。後壁６４の部分Ｌ１は、第１及び第２の側壁５６及び５８の各後縁部に直角に連結され、好ましくは弾力性を有しており、後壁の残りの部分Ｌ２には支えがない。後壁のＬ２の部分もまた、細長い第１及び第２の弾性部材６６及び７２と共働してより柔軟な動きを可能にし、チャンバ４９に収納されるスタックの高さ寸法の公差が大きくても対応できるように、弾力性を有することが好ましい。
【００１２】
細長く湾曲した第１の弾性部材６６は、後端部６８が弾性後壁６４の第１の上角部近傍に連結されるとともに、前端部７０が第１の側壁５６の前側上端部に連結されている。弾性部材６６は、第１及び第２の側壁間のチャンバ４９内における第１の側壁５６に隣接する部分の上方に延び、トレイスタックの上部外周部の第１の側に圧力を加える。同様に、細長く湾曲した第２の弾性部材７２は、後端部７４が後壁６４の第２の上角部近傍に連結されるとともに、前端部７６が第２の側壁５８の前側上端部に連結されている。弾性部材７２は、第１及び第２の側壁間のチャンバ４９内における第２の側壁５８に隣接する部分の上方に延び、トレイスタックの上部外周部の第２の側に圧力を加える。
【００１３】
第１及び第２のタブ７８及び８０は、各側壁５６及び５８の前部からチャンバ４９の内方にそれぞれ延び、クリップ４８内に置かれたトレイスタックを留める。タブの作用は次の図面を参照して説明する。
【００１４】
図７は、クリップ４８のチャンバ４９内にトレイスタックが収納された状態を示している。スタック８２は、クリップの前部開口８４から差し込まれたものである。一実施形態においては、スタックを差し込むために、タブ７８及び８０はテーパ状の入口面、例えばタブ８０の面８６、を有する形状となっている。スタックは、開口８４に押し込まれるとき、面８６を押して側壁５６及び５８を外側に撓ませる。スタック８２がタブ７８及び８０を越えるまで差し込まれると、弾性の側壁５６及び５８は元の状態に戻り、急峻に縁部８８及び９０がトレイスタック８２の通路に位置付けられ、スタックは開口８４から抜け出ないよう保持される。スタックを取り出すには、操作者は、側壁５６及び５８を外側に押し広げてタブをスタック取出し経路の外に移動させ、切り欠き５２（図６）及び開放された上部５１からスタックを掴み、スタックを開口８４から引き出す。クリップ４８内に装着されたスタックの高さ方向は、スプリング６６及び７２がスタックの外周部９２及び９４を押してスタックをベース５０に当接させることにより、確実に保持される。スプリング６６及び７２の動きは、弾力性を有する後壁６４の上部Ｌ２が呼応して外側に移動することにより、部分的に促進される。後壁６４の厚み、長さＬ２、及び細長い部材６６及び７２の湾曲度合は、スタックの公差に対応するために必要とされる柔軟な弾性運動が可能となるように設計される。矢印９６は、弾性部材６６及び７２が矢印９８で示される方向に移動するにつれて後壁６４が移動する方向を示している。
【００１５】
図８は、スタック８２をクリップ４８の前部開口８４に滑り込ませるための位置に配した状態を示している。
【００１６】
図９は、図６のＡ−Ａ断面図であり、側壁５６及び５８が外側に移動した状態を破線で示している。スタックをチャンバ４９に対して抜き差しするために、タブ７８及び８０は、弾性側壁５６及び５８を撓めることにより、矢印９９及び１００で示されるように外側に移動される。
【００１７】
図１０は、クリップ４８の側壁５６の平面図であり、細長い部材６６及び７２と連係した弾性後壁６４の動作をより明確に示している。破線１０２はクリップ４８内に配置されたスタックの外形を表す。上部外周部は破線１０２の部分１０４で示されている。図１０においては、スタックが差し込まれる前の弛緩状態の部材６６及び後壁６４を実線で示している。破線１０６は、スタックが差し込まれるときの部材６６及び後壁６４の位置を表しており、スタックが弾性部材６６を押し上げ、それに伴い、後壁６４が外側に移動している。
【００１８】
上述の実施形態及び当業者には明らかであろう変形は、圧力の印加をトレイの外周部に限定するものである。さらに別の実施形態として、外周以外の部分に付加的に圧力を加えてもよく、当業者には明らかであろうこのような追加は、本発明に包含されるものとする。
【００１９】
本発明は、ここでは特定の実施形態について説明してきたが、上記開示においては、ある程度の裁量による修正、及び、種々の変更及び代用が意図されるものであり、付記されたクレームに記載される発明の趣旨及び範囲を逸脱することがなければ、本発明のいくつかの特徴を他の特徴と対応させずに使用する場合もある。
【図面の簡単な説明】
【００２０】
【図１】従来のトレイ及びカバーを示す図。
【図２】従来の２部品クリップを示す図。
【図３】図２に示されるタイプのクリップがスタックを保持している状態を示す図。
【図４】スタックに圧力を加えるための２つのスプリングが中央部に設けられた従来のクリップを示す図。
【図５】ボックスフレーム形状の別の従来クリップを示す図。
【図６】本発明の一実施形態によるトレイスタック収納用オープンフレームクリップを示す図。
【図７】図６のクリップにスタックを取り付けた状態を示す図。
【図８】図６のクリップにスタックを差し込む方法を示す図。
【図９】スタック保持タブを移動させることによりスタックの出し入れを可能にする、弾性側壁を示す平面断面図。
【図１０】クリップの側面図であり、スタックの高さ寸法の公差が大きくても対応できるようにするための、弾性後壁と細長い弾性部材との連係による柔軟なばね動作を示す図。
【符号の説明】
【００２１】
４８    クリップ
４９    チャンバ
５０    ベース
５１    上部
５２    切り欠き
５３    トレイ差入口
５４    ベース前縁部
５５    側壁上縁部
５６    側壁
５７    側壁上縁部
５８    側壁
５９    側壁前縁部
６０    第２の対向縁部
６１    側壁前縁部
６２    第１の対向縁部
６４    後壁
６５    ベース後縁部
６６    第１の弾性部材
６８    後端部
７０    前端部
７２    第２の弾性部材
７４    後端部
７６    前端部
７８    タブ
８０    タブ
８２    スタック
９２    外周部
９４    外周部
【図１】
2005041574.tif 000003
【図２】
2005041574.tif 000004
【図３】
2005041574.tif 000005
【図４】
2005041574.tif 000006
【図５】
2005041574.tif 000007
【図６】
2005041574.tif 000008
【図７】
2005041574.tif 000009
【図８】
2005041574.tif 000010
【図９】
2005041574.tif 000011
【図１０】
2005041574.tif 000012